(57)【特許請求の範囲】
【請求項１】
動力源としてエンジン及びモータジェネレータを備えたハイブリッド車両を管理する管理システムにおいて、
複数の前記車両から、前記モータジェネレータの動作中に前記エンジンの始動から停止までの、移動距離または前記エンジンの稼働時間と、前記エンジンが稼働している地点を示すエンジン稼働位置とを含むエンジン稼働情報を取得する取得手段と、
前記エンジン稼働情報に基づいて前記エンジンの始動を抑制するエンジン始動抑制エリアを地図データ上で特定するエリア特定手段とを備え、
前記エリア特定手段は、
前記移動距離、または、前記稼働時間が所定値以下である前記エンジン稼働位置に基づいて前記エンジン始動抑制エリアを特定する
ことを特徴とするハイブリッド車両の管理システム。
【請求項２】
前記エリア特定手段は、
前記地図データ上で前記エンジン稼働情報の数を管理し、
前記エンジン稼働情報の数に基づき、前記エンジン始動抑制エリアを特定する
ことを特徴とする請求項１に記載のハイブリッド車両の管理システム。
【請求項３】
前記エリア特定手段は、
前記地図データ上の複数のエリアのうち、前記エンジン稼働情報の数が所定の数以上であるエリアを、前記エンジン始動抑制エリアとして特定する
ことを特徴とする請求項２に記載のハイブリッド車両の管理システム。
【請求項４】
前記エリア特定手段は、
前記地図データ上の複数のエリアのうち、前記エンジン稼働情報の数が所定の数以上であるエリアに含まれる前記エンジン稼働位置を中心として所定の範囲を、前記エンジン始動抑制エリアとして特定する
ことを特徴とする請求項２に記載のハイブリッド車両の管理システム。
【請求項５】
前記エンジン稼働情報は、
前記車両の運転手の運転動作による要求によって前記エンジンが稼働したこと示す稼働要求情報を含み、
前記エリア特定手段は、
前記稼働要求情報に基づいて前記エンジン始動抑制エリアを特定する
ことを特徴とする請求項１〜４のいずれか一項に記載のハイブリッド車両の管理システム。
【請求項６】
前記稼働要求情報は、アクセル開度を含む
ことを特徴とする請求項５に記載のハイブリッド車両の管理システム。
【請求項７】
前記エンジン稼働位置は、前記エンジンが始動した地点を含む
ことを特徴とする請求項１〜６のいずれか一項に記載のハイブリッド車両の管理システム。
【請求項８】
前記車両の位置情報を管理する管理手段と、
前記取得手段及び前記エリア特定手段を備えた管理サーバと通信を行い、前記エンジン始動抑制エリアの情報を受信する通信手段と、
前記エンジンを制御する制御手段とをさらに備え、
前記制御手段は、
前記車両の位置情報及び前記エンジン始動抑制エリアに基づいて、前記エンジンを始動させるエンジン始動閾値を設定する
ことを特徴とする請求項１〜７のいずれか一項に記載のハイブリッド車両の管理システム。
【請求項９】
前記アクセル開度又は前記車両の車速を検出するセンサをさらに備え、
前記制御手段は、
前記センサの検出値が前記エンジン始動閾値以上である場合に前記エンジンを始動させ、
前記車両の位置情報に含まれる前記車両の位置が前記エンジン始動抑制エリア内にある場合の前記エンジン始動閾値を、前記車両の位置情報に含まれる前記車両の位置が前記エンジン始動抑制エリア外にある場合の前記エンジン始動閾値より高くする
ことを特徴とする請求項８に記載のハイブリッド車両の管理システム。
【請求項１０】
前記エンジン始動抑制エリアを前記車両の運転者に報知する報知手段をさらに備えることを特徴とする請求項８又は９に記載のハイブリッド車両の管理システム。
【請求項１１】
動力源としてエンジン及びモータジェネレータを備えたハイブリッド車両の制御装置において、
前記車両の位置情報を管理する管理手段と、
前記モータジェネレータの動作中に前記エンジンの始動から停止までの、移動距離または前記エンジンの稼働時間と、前記エンジンが稼働している地点を示すエンジン稼働位置とを含むエンジン稼働情報を管理サーバに送信する通信手段と、
前記エンジンを制御する制御手段とを備え、
前記通信手段は、
前記管理サーバと通信を行い、前記移動距離、または、前記稼働時間が所定値以下である前記エンジン稼働位置に基づいて地図データ上で特定された、前記エンジンの始動を抑制するエンジン始動抑制エリアの情報を受信し、
前記制御手段は、
前記車両の位置情報及び前記エンジン始動抑制エリアに基づいて、前記エンジンを始動させるエンジン始動閾値を設定する
ことを特徴とするハイブリッド車両の制御装置。
【発明の詳細な説明】
【技術分野】
【０００１】
本発明は、ハイブリッド車両の管理システム及びハイブリッド車両の制御装置に関するものである。
【背景技術】
【０００２】
エンジンと、駆動および発電用のモータと、を具えたハイブリッド車両のエンジン停止制御装置であって、要求駆動力がエンジン停止判定値以下のときに、モータの駆動力のみで走行するＥＶ走行モードと、エンジン停止判定値より大きいときに、少なくともエンジンの駆動力で走行するＨＥＶ走行モードと、を選択的に切り替える走行モード選択部と、車両の減速度を予測／検出する減速度判断手段とを具え、走行モード選択部は、ＨＥＶ走行モードからＥＶ走行モードに切り替える際に、予め設定したディレイ時間を経過した後にＨＥＶ走行モードからＥＶ走行モードに遷移するように構成され、減速度判断手段に基づく減速度が小さくなるのに応じて、ディレイ時間を短く設定する、ことを特徴とするハイブリッド車両のエンジン停止制御装置が知られている（特許文献１）。
【先行技術文献】
【特許文献】
【０００３】
【特許文献１】特開２００９−２３４５６５号公報
【発明の概要】
【発明が解決しようとする課題】
【０００４】
しかしながら、道路状況に関わらず、要求された駆動力がエンジン停止判定値より大きくなると、ＨＥＶ走行モードに切り替わるため、エンジンの始動回数が多くなり、燃費が悪くなるという問題があった。
【０００５】
本発明が解決しようとする課題は、エンジンの始動回数を抑制し、燃費を向上させる、ハイブリッド車両の管理システム及びハイブリッド車両の制御装置を提供することである。
【課題を解決するための手段】
【０００６】
本発明は、複数の車両から、前記モータジェネレータの動作中に前記エンジンの始動から停止までの、前記移動距離または前記エンジンの稼働時間と、前記エンジンが稼働している地点を示すエンジン稼働位置とを含むエンジン稼働情報を取得し、エンジン稼働情報に基づいてエンジンの始動を抑制するエンジン始動抑制エリアを地図データ上で特定することによって上記課題を解決する。
【発明の効果】
【０００７】
本発明によれば、多くのハイブリッド車両において、エンジン稼働中の車両の移動距離が短くなっている場所、または、エンジンの稼働時間が短くなっている場所等、エンジンが不要に稼働され易い場所が特定され、当該場所ではエンジンの始動が抑制されるため、エンジンの始動回数が減少し、その結果として燃費を向上することができる。
【図面の簡単な説明】
【０００８】
【図１】本実施形態に係るハイブリッド車両のブロック図である。
【図２】図１の統合コントロールユニットのブロック図である。
【図３】図２の目標駆動力演算部における、車速に対する目標駆動力の特性を示すグラフである。
【図４】図２のモード選択部における、車速及びアクセル開度に対する走行モードのマップを示すグラフである。
【図５】図１のハイブリッド車両とサーバとのブロック図である。
【図６】図１のサーバで管理される、地図データ及びエンジン稼働情報を説明するための概念図である。
【図７】図５のシステムにおける、制御手順のフローチャートである。
【発明を実施するための形態】
【０００９】
以下、本発明の実施形態を図面に基づいて説明する。
【００１０】
《第１実施形態》
本実施形態に係るハイブリッド車両１は、複数の動力源を車両の駆動に使用するパラレル方式の電気自動車である。このハイブリッド車両１は、図１に示すように、内燃機関（以下、「エンジン」という）１０、第１クラッチ１５、モータジェネレータ（電動機・発電機）２０、第２クラッチ２５、バッテリ３０、インバータ３５、自動変速機４０、プロペラシャフト５１、ディファレンシャルギアユニット５２、ドライブシャフト５３、左右の駆動輪５４及びディスプレイ９０を備えている。なお、以下、本発明をパラレル方式のハイブリッド車に適用した場合について説明するが、本発明は他の方式のハイブリッド車両にも適用可能である。また自動変速機４０の代わりに、無段変速機（ＣＶＴ）を用いてもよい。
【００１１】
エンジン１０は、ガソリン又は軽油を燃料として稼働する内燃機関であり、エンジンコントロールモジュール７０からの制御信号に基づいて、スロットルバルブのバルブ開度、燃料噴射量、点火時期等が制御される。このエンジン１０には、エンジン回転数Ｎｅを検出するためのエンジン回転数センサ１１が設けられている。
【００１２】
第１クラッチ１５は、エンジン１０の出力軸とモータジェネレータ２０の回転軸との間に介装されており、エンジン１０とモータジェネレータ２０との間の動力伝達を断接する。この第１クラッチ１５の具体例としては、例えば比例ソレノイドで油流量及び油圧を連続的に制御できる湿式多板クラッチ等を例示することができる。この第１クラッチ１５は、統合コントロールユニット６０からの制御信号に基づいて油圧ユニット１６の油圧が制御されることで、クラッチ板を締結（スリップ状態も含む。）／解放させる。
【００１３】
モータジェネレータ２０は、ロータに永久磁石を埋設し、ステータにステータコイルが巻き付けられた同期型モータジェネレータである。このモータジェネレータ２０には、ロータ回転数Ｎｍを検出するためのモータ回転数センサ２１が設けられている。このモータジェネレータ２０は、電動機としても機能するし発電機としても機能する。インバータ３５から三相交流電力が供給されている場合には、モータジェネレータ２０は回転駆動する（力行）。一方、外力によってロータが回転している場合には、モータジェネレータ２０は、ステータコイルの両端に起電力を生じさせることで交流電力を生成する（回生）。モータジェネレータ２０によって発電された交流電力は、インバータ３５によって直流電流に変換された後に、バッテリ３０に充電される。
【００１４】
バッテリ３０の具体例としては、リチウムイオン二次電池やニッケル水素二次電池等を例示することができる。このバッテリ３０には電流・電圧センサ３１が取り付けられており、これらの検出結果をモータコントロールユニット８０に出力することが可能となっている。
【００１５】
自動変速機４０は、前進７速後退１速等の有段階の変速比を車速やアクセル開度等に応じて自動的に切り換える変速機である。この自動変速機４０は、統合コントロールユニット６０からの制御信号に基づいて変速比を変化させる。自動変速機４０の出力軸は、プロペラシャフト５１、ディファレンシャルギアユニット５２、及び左右のドライブシャフト５３を介して、左右の駆動輪５４に連結されている。なお、図１において５５は左右の操舵前輪である。
【００１６】
テレマティクスコントロールユニット５０は、外部との送受信を行うための通信機を備えており、後述するサーバとの間で情報の送受信を行う。また、テレマティクスコントロールユニット５０は統合コントローユニット６０と、ＣＡＮ通信により接続されている。
【００１７】
ディスプレイ９０は、統合コントローユニット６０に含まれるナビゲーションシステムで管理された情報等を表示して、情報を乗員に報知するための表示装置である。
【００１８】
本実施形態におけるハイブリッド車両１は、第１及び第２クラッチ１５，２５の締結／解放状態に応じて３つの走行モードに切り替えることが可能となっている。
【００１９】
第１走行モードは、第１クラッチ１５を解放させると共に第２クラッチ２５を締結させて、モータジェネレータ２０の動力のみを動力源として走行するモータ使用走行モード（以下、「ＥＶ走行モード」と称する。）である。
【００２０】
第２走行モードは、第１クラッチ１５及び第２クラッチ２５のいずれも締結させて、モータジェネレータ２０に加えてエンジン１０を動力源に含みながら走行するエンジン使用走行モード（以下、「ＨＥＶ走行モード」と称する。）である。
【００２１】
第３走行モードは、第２クラッチ２５をスリップ状態として、エンジン１０又はモータジェネレータ２０の少なくとも一方を動力源に含みながら走行するスリップ走行モード（以下、「ＷＳＣ走行モード」と称する。）である。このＷＳＣ走行モードは、特にバッテリ３０のＳＯＣ（充電量：State of Charge）が低下している場合やエンジン１０の冷却水の温度が低い場合等にクリープ走行を達成するモードである。
【００２２】
なお、ＥＶ走行モードからＨＥＶ走行モードに移行する際には、解放していた第１クラッチ１５を締結し、モータジェネレータ２０のトルクを利用してエンジン１０を始動させる。
【００２３】
さらに、上記の「ＨＥＶ走行モード」には、「エンジン走行モード」と「モータアシスト走行モード」と「走行発電モード」との３つの走行モードを含む。
【００２４】
「エンジン走行モード」は、エンジン１０のみを動力源として駆動輪５４を動かす。「モータアシスト走行モード」は、エンジン１０とモータジェネレータ２０の２つを動力源として駆動輪５４を動かす。「走行発電モード」は、エンジン１０を動力源として駆動輪５４を動かすと同時に、モータジェネレータ２０を発電機として機能させる。
【００２５】
なお、以上に説明したモードの他に、停車時において、エンジン１０の動力を利用してモータジェネレータ２０を発電機として機能させ、バッテリ３０を充電したり電装品へ電力を供給する発電モードを備えてもよい。
【００２６】
本実施形態におけるハイブリッド車両１の制御系は、図１に示すように、統合コントロールユニット６０、エンジンコントロールモジュール７０、及びモータコントロールユニット８０を備えている。これらの各コントロールユニット６０，７０，８０は、例えばＣＡＮ通信を介して相互に接続されている。
【００２７】
エンジンコントロールモジュール７０は、エンジン回転数センサ１１からの情報を入力し、統合コントロールユニット６０からの目標エンジントルクｔＴｅ等の指令に応じ、エンジン動作点（エンジン回転数Ｎｅ、エンジントルクＴｅ）を制御する指令を、エンジン１０に備えられたスロットルバルブアクチュエータ、インジェクタ、点火プラグ等に出力する。なお、エンジン回転数Ｎｅ、エンジントルクＴｅの情報は、ＣＡＮ通信を介して統合コントロールユニット６０に供給される。
【００２８】
モータコントロールユニット８０は、モータジェネレータ２０に設けられたモータ回転数センサ２１からの情報を入力し、統合コントロールユニット６０からの目標モータジェネレータトルクｔＴｍ（目標モータジェネレータ回転数ｔＮｍでもよい）等の指令に応じて、モータジェネレータ２０の動作点（モータ回転数Ｎｍ、モータトルクＴｍ）を制御する指令をインバータ３５に出力する。
【００２９】
また、モータコントロールユニット８０は、電流・電圧センサ３１により検出された電流値及び電圧値に基づいてバッテリ３０のＳＯＣを演算及び管理する。このバッテリＳＯＣ情報は、モータジェネレータ２０の制御情報に用いられると共に、ＣＡＮ通信を介して統合コントロールユニット６０に送出される。
【００３０】
統合コントロールユニット６０は、エンジン１０、モータジェネレータ２０、自動変速機４０、第１クラッチ１５、及び第２クラッチ２５からなるパワートレインの動作点を統合的に制御することで、ハイブリッド車両１を効率的に走行させるための機能を担うものである。
【００３１】
この統合コントロールユニット６０は、ＣＡＮ通信を介して取得される各センサからの情報に基づいてパワートレインの動作点を演算し、エンジンコントロールモジュール７０への制御指令によるエンジンの動作制御、モータコントロールユニット８０への制御指令によるモータジェネレータ２０の動作制御、自動変速機４０への制御指令による自動変速機４０の動作制御、第１クラッチ１５の油圧ユニット１６への制御指令による第１クラッチ１５の締結・解放制御、及び、第２クラッチ２５の油圧ユニット２６への制御指令による第２クラッチ２５の締結・解放制御を実行する。
【００３２】
次いで、統合コントロールユニット６０により実行される制御のうち、エンジン１０及びモータジェネレータ２０の駆動制御について説明する。図２は統合コントロールユニット６０の制御ブロック図である。
【００３３】
図２に示すように、統合コントロールユニット６０は、目標駆動力演算部６１、モード選択部６２、目標充放電演算部６３、動作点指令部６４、及び変速制御部６５を備えている。
【００３４】
目標駆動力演算部６１は、予め定められた目標駆動力マップを用いて、アクセル開度センサ６９により検出されたアクセル開度ＡＰＯと、自動変速機４０の出力回転センサ４２により検出された変速機出力回転数Ｎｏ（＝車速ＶＳＰ）とに基づいて、目標駆動力ｔＦｏ０を演算する。図３に目標駆動力マップの一例を示す。
【００３５】
モード選択部６２は、モードマップを参照し、目標モードを選択する。図４にモードマップの一例を示す。この図４のモードマップ（シフトマップ）には、車速ＶＳＰとアクセル開度ＡＰＯに応じて、ＥＶ走行モード、ＷＳＣ走行モード、及びＨＥＶ走行モードの領域がそれぞれ設定されている。
【００３６】
このモードマップにおいて、エンジン始動線には、始動線Ｌｏと始動線Ｌｈの二本がある。エンジン始動線を始動線Ｌｏにした場合には、始動線Ｌｏの内側にＥＶ走行モードが割り当てられ、当該エンジン始動線Ｌｏの外側にＨＥＶ走行モードが割り当てられている。従って、モード選択部６２は、ＥＶ走行モードから始動線Ｌｏを超えてＨＥＶ走行モードに移行する場合に、動作点指令部６４に対してエンジン１０を始動させることを要求する。エンジン始動線Ｌｈについても同様に、始動線Ｌｈの内側にＥＶ走行モードが割り当てられ、当該エンジン始動線Ｌｈの外側にＨＥＶ走行モードが割り当てられている。
【００３７】
エンジン始動線ＬｏまたはＬｈが、エンジン１０を始動させるための閾値となっており、アクセル開度ＡＰＯ及び車速ＶＳＰが当該閾値より大きい場合には、エンジン１０が始動する。エンジン始動線Ｌｏは基準となる始動線であって、通常の走行では、モード選択部６２は、エンジン始動線をＬｏにして、走行モードを選択する。
【００３８】
モード選択部６２は、サーバから送信されるエンジン始動抑制エリア情報と、自車であるハイブリッド車両の位置情報とに基づいて、図４のモードマップ上におけるエンジン始動線の位置を変えて、エンジン１０の始動のための閾値を設定する。なお、統合コントロールユニット６０による、エンジン始動線の制御については、後述する。
【００３９】
また、ＥＶ走行モード及びＨＥＶ走行モード双方の低速領域（例えば１５km/h以下の領域）には上述のＷＳＣ走行モードがそれぞれ割り当てられている。なお、このＷＳＣ走行モードを規定する所定車速ＶＳＰ１は、エンジン１０が自立回転可能な車速である。従って、この所定車速ＶＳＰ１よりも低い領域では、第２クラッチ２５を締結されたままの状態でエンジン１０は自立回転することができない。
【００４０】
なお、ＥＶ走行モードが選択されている場合であっても、バッテリ３０のＳＯＣが所定値以下である場合には、強制的にＨＥＶ走行モードに移行する場合もある。
【００４１】
目標充放電演算部６３は、予め定められた目標充放電量マップを用いて、バッテリ３０のＳＯＣから、目標充放電電力ｔＰを演算する。
【００４２】
動作点指令部６４は、アクセル開度ＡＰＯ、目標駆動力ｔＦｏ０と、目標モードと、車速ＶＳＰと、目標充放電電力ｔＰとから、パワートレインの動作点達成目標として、過渡的な目標エンジントルクｔＴｅ、目標モータジェネレータトルクｔＴｍ（目標モータジェネレータトルクｔＮｍでもよい）、目標第１クラッチ伝達トルク容量ｔＴｃ１、目標第２クラッチ伝達トルク容量ｔＴｃ２、及び、自動変速機４０の目標変速段を演算する。
【００４３】
目標エンジントルクｔＴｅは統合コントロールユニット６０からエンジンコントロールユニット７０に送出され、目標モータジェネレータトルクｔＴｍ（目標モータジェネレータ回転数ｔＮｍでもよい）は統合コントロールユニット６０からモータコントロールユニット８０に送出される。
【００４４】
動作点指令部６４は、モード選択部６２により設定された目標モードの下、目標駆動力を発生させるために、目標第１クラッチ伝達トルク容量ｔＴｃ１及び目標第２クラッチ伝達トルク容量ｔＴｃ２を演算する。目標第１クラッチ伝達トルク容量ｔＴｃ１及び目標第２クラッチ伝達トルク容量ｔＴｃ２については、統合コントロールユニット６０が、当該目標第１クラッチ伝達トルク容量ｔＴｃ１及び目標第２クラッチ伝達トルク容量ｔＴｃ２に対応したソレノイド電流を油圧ユニット１６，２６にそれぞれ供給する。
【００４５】
また、動作点指令部６４は、ＳＯＣ（充電量：State of Charge）が低下している場合等、モード選択部６２による選択モードと関係なく、システム上の要求としてエンジン１０を始動させることも可能である。例えば、モード選択部６２がＥＶモードを選択しているが、バッテリ３０のＳＯＣが低下しており、目標充放電演算部６３がバッテリ３０を充電するための目標充電電力を演算した場合には、動作点指令部６４は、目標演算トルクを演算して、エンジンコントロールモジュール７０を介して、エンジン１０を始動させる。
【００４６】
変速制御部６５は、シフトマップに示すシフトスケジュールに沿って目標変速段を達成するように自動変速機４０内のソレノイドバルブを駆動制御する。なお、この際に用いられるシフトマップは、図４に示すように車速ＶＳＰとアクセル開度ＡＰＯに基づいて予め目標変速段が設定されたものである。
【００４７】
次に、ハイブリッド車両１との間で通信を行うサーバ１００の構成及び制御を、図５を用いて説明する。図５に、ハイブリッド車両１及び複数の車両２００と、サーバのブロック図を示す。
【００４８】
図５に示すように、サーバ１００は、ハイブリッド車両１と、他の複数の車両２００との間で、通信を行い、各車両の車両情報を取得する。サーバ１００は、データベース１０１とサーバコントローラ１０２とを有している。データベース１０１は、サーバ１００が受信した各車両の情報を記憶する。またサーバ１００が、気象庁などの他の情報提供機関と有線又は無線により通信できる場合には、データベース１０１は、当該情報提供機関からの情報、例えば、気圧や温度などの気象情報を記憶する。さらに、サーバ１００の管理者により、データベース１０１で記憶するデータ（例えば地図データなど）を更新することも可能である。
【００４９】
サーバコントローラ１０２は、サーバ１００の全体を制御するためのコントロールであって、エンジン稼働情報取得部１０３及びエリア特定部１０４を有している。サーバコントローラ１０２は、車両１及び車両２００から送信される情報を取得し、当該情報を解析した上で、データベース１０１に記憶する。また、各車両１、２００の要求に応じて、データベース１０１で記憶する情報を、各車両１、２００に送信する。
【００５０】
エンジン稼働情報取得部１０３は、車両１及び車両２００から送信される情報からエンジン稼働情報を取得する。エリア特定部１０４は、エンジン稼働情報取得部１０３により取得されたエンジン稼働情報に基づいて、エンジンの始動を抑制するためのエンジン始動抑制エリアを地図データ上で特定する。車両２００は、ハイブリッド車両１と同様な、ハイブリッド車両である。
【００５１】
ここで、エンジン稼働情報について、車両１の制御と共に、説明する。上記の通り、車両１は、アクセル開度や車速に応じてＥＶモードとＨＥＶモードと間を遷移してエンジン１０の始動及び停止を繰り返す。また、バッテリ３０のＳＯＣの低下などのシステム要求によっても、エンジン１０は始動する。すなわち、車両１、２００は、走行中、地図データ上における様々な位置でエンジン３０の始動を繰り返し行っている。
【００５２】
そして、例えば、車両１が急な傾斜面の場所や段差が激しい場所を走行する際には、駆動力を高めるために、運転者がアクセルを踏み込むことで、アクセル開度が高まり、エンジン３０が始動することがある。さらに、これらの場所の道路が短い場合には、エンジン３０が稼働している期間は短くなり、短期間でもとのＥＶモードに戻ってしまう。すなわち、ハイブリッド車両において、特定の道路状況では、ＥＶモードで走行可能な場合であっても、運転者のアクセル操作によって、エンジンが始動しＨＥＶモードに遷移する場合がある。そして、このような、エンジン始動は、特定の道路状況で、多くのハイブリッド車で行われる可能性が高い。
【００５３】
本例では、システム上の要求とは異なり、特定の道路状況によって、多くの車両がエンジンの始動を短期間（または短距離）に行っているエリア（エンジン始動抑制エリアに相当）を、サーバ１００で特定する。そして、このエリアを特定するために、車両１、２００はエンジン稼働情報をサーバ１００に送信している。
【００５４】
エンジン稼働情報は、サーバ１００側でエンジン始動抑制エリアを特定するために用いられる情報であって、各車両１、２００から、サーバ１００に送信される。エンジン稼働情報は、モータジェネレータ２０の動作中に、エンジン１０が稼働した地点を示すエンジン１０の稼働位置、エンジン１０の稼働中の車両１の移動距離、及び、エンジン１０の始動時のアクセル開度を含んでいる。
【００５５】
エンジン１０の稼働位置の情報には、エンジン１０の始動時の位置、及び、エンジン１０の始動後であって、エンジン稼働中の位置に関する情報が含まれる。この位置情報は、地図データ上における座標で表示される。エンジン１０の稼働位置の情報は、サーバ１００で、各車両１、２００のエンジン３０が始動した位置を、地図データ上で管理するために用いられる。
【００５６】
エンジン１０の稼働中における車両１、２００の移動距離の情報は、車両１、２００がＨＥＶモードで走行した距離に相当する。移動距離の情報は、エンジン１０の始動が、上記のような特定の道路状況によって、短距離で行われたか否かを、サーバ１００で判定するために用いられる。
【００５７】
エンジン１０の始動時のアクセル開度は、エンジン１０の始動が運転者のアクセル操作により行われたものか、若しくは、システム要求により行われてものか否かをサーバ１００で判定するために用いられる。すなわち、アクセル開度が低い状態で、エンジン１０が始動した場合には、システム要求により、エンジン１０を稼働した可能性が高いため、このようなエンジン始動を特定するために、サーバ１００は、アクセル開度を用いている。
【００５８】
車両１は、統合コントロールユニット６０により、ＥＶモードとＨＥＶモードとの間で遷移した時に、これらの情報を取得し、図示しないメモリに記憶する。ＥＶモードがＨＥＶモードに遷移すると、統合コントロール６０はエンジン始動時のアクセル開度及び車両の位置を取得する。アクセル開度は、アクセル開度センサ６９の検出値から取得される。統合コントロールユニット６０に含まれるナビゲーションシステム６６は車両の現在地を把握しているため、走行モード遷移時の車両の位置はナビゲーションシステム６６で管理する情報から取得される。
【００５９】
また、統合コンローラ６０は、ＨＥＶモードからＥＶモードに遷移すると、統合コントロール６０はエンジン停止時のアクセル開度及び車両の位置を取得する。そして、統合コントロール６０は、エンジン始動時の車両１の位置と、エンジン停止時の車両１の位置から、エンジン１０の稼働中の車両１の移動距離を把握することができる。
【００６０】
統合コントロール６０は、上記のように、車両１の走行中に取得したエンジン稼働情報をメモリに随時、記憶する。統合コントールユニット６０は、車両１のメインスイッチ（図示しない）をオンさせた時、あるいは、メインスイッチをオフさせた時に、メモリに記憶したエンジン稼働情報をサーバ１００に送信する。他の車両２００についても、同様にエンジン稼働情報を取得しており、エンジン稼働情報をサーバ１００に送信する。これにより、サーバ１００は、複数の車両１、２００のエンジン稼働情報を取得する。
【００６１】
次に、エンジン始動抑制エリアについて、サーバ１００の制御と共に説明する。エンジン始動抑制エリアは、特定の道路状況により、運転者のアクセル踏み込み量が大きくなり、アクセル開度が高くなることで、エンジン１０が不要に始動してしまうエリアである。そして、このようなエリアでは運転者のアクセル操作によって、エンジンを始動しにくくするよう、車両１、２００側で制御するために、サーバ１００が、以下のように、エンジン始動抑制エリアを特定した上で、エリアの情報を各車両１、２００に送信する。
【００６２】
まず、サーバコントローラ１０２は、エンジン稼働情報取得部１０３により、各車両１、２００から送信される情報から、エンジン稼働情報を取得し、データベース１０１で管理する地図データと対応させて、エンジン稼働情報をデータベース１０１に記憶する。
【００６３】
具体的には、サーバコントローラ１０２は、エンジン稼働情報に含まれるアクセル開度から、当該エンジン稼働情報で示されるエンジン１０の始動が、システム要求による始動か、運転者のアクセル操作に基づく駆動要求による始動かを判定する。サーバコントローラ１０２には、予めシステム要求による始動か否かを判定するためのアクセル開度閾値が設定されている。
【００６４】
そして、アクセル開度が当該アクセル開度閾値より高い場合には、サーバコントローラ１０２は、エンジン稼働情報で示されるエンジン１０の始動が駆動要求によるエンジン始動である、と判定する。一方、アクセル開度が当該アクセル開度閾値より低い場合には、サーバコントローラ１０２は、エンジン稼働情報で示されるエンジン１０の始動がシステム要求によるエンジン始動である、と判定する。システム要求によるエンジン始動である場合には、サーバコントローラ１０２は取得したエンジン稼働情報をデータベース１０１に記憶しない。
【００６５】
次に、サーバコントローラ１０２は、エンジン稼働情報に含まれるエンジン稼働中の移動距離から、当該エンジン稼働情報で示されるエンジン１０の始動が車両１の走行のために不要なエンジン始動であるか否かを判定する。なお、車両１の走行のために不要なエンジン始動は、エンジン稼働情報に対応する道路において、エンジンを稼働させることなく、ＥＶ走行モードのままで走行可能な状態に相当する。
【００６６】
サーバコントローラ１０２には、予め上記の不要なエンジン始動か否かを判定するための閾値距離が設定されている。そして、エンジン稼働中の移動距離が閾値距離より短い場合には、サーバコントローラ１０２は、短いエンジン稼働であり、不要なエンジン稼働であるとして、エンジン稼働情報で示されるエンジン１０始動が車両１の走行のために不要なエンジン始動である、と判定する。一方、エンジン稼働中の移動距離が閾値距離より長い場合には、サーバコントローラ１０２は、車両１の走行のために必要なエンジン始動である、と判定する。車両１の走行のためには必要なエンジン始動である場合には、サーバコントローラ１０２は取得したエンジン稼働情報をデータベース１０１に記憶しない。
【００６７】
これらの判定により、サーバコントローラ１０２は、エンジン稼働情報から、駆動要求で、車両１の走行のためには不要であるエンジン始動を特定し、図６に示すように、データベース１０１の地図データ上で、当該エンジン稼働情報に含まれるエンジン１０の稼働位置にエンジン稼働情報をプロットする。図６に、データベース１０１で記憶される地図データと、地図データ上にプロットされるエンジン稼働情報を示す。図６において、経線及び緯線で囲った枠がメッシュを示しており、白抜きの丸がエンジン稼働情報を表している。
【００６８】
サーバコントローラ１０２は、地図データ上のエリア毎でエンジン稼働情報の数を管理するために、図６に示すようなメッシュを用いている。メッシュは、一定の経線、緯線で所定の領域を網目状に均等に区分したものである。メッシュの大きさは、予め決まっている。
【００６９】
サーバコントローラ１０２は、上記の判定により特定されたエンジン稼働情報の位置と対応するメッシュ内の位置に、エンジン稼働情報を点でプロットする。プロットは、エンジン稼働情報の位置のうち、エンジン始動時の位置で行う。サーバコントローラ１０２は、複数の車両２００において、上記と同様な判定及び情報のプロットをしているため、データベース１０１の地図データには、多くのエンジン稼働情報がプロットされる。また、サーバコントローラ１０２は、プロットされたエンジン稼働情報のうち、所定時間が経過している情報については、削除する。これにより、地図データ上でプロットされている情報は、更新時間の早い、一定時間内でプロットされた情報となる。
【００７０】
そして、サーバコントローラ１０２は、エリア特定部１０４により、データベース１０１で記憶する地図データ上のメッシュ毎に、エンジン稼働情報の数を管理している。例えば、図６に示すメッシュＡには、６個のエンジン稼働情報がプロットされており、メッシュＢには７個のエンジン稼働情報がプロットされ、メッシュＣには１個のエンジン稼働情報がプロットされ、メッシュＤには２個のエンジン稼働情報がプロットされている。すなわち、メッシュＡ内では、のべ６台の車両が一定の時間内でエンジンを始動させていることになる。
【００７１】
エリア特定部１０４は、メッシュ毎に、各メッシュのエンジン稼働情報の数と、エリア特定閾値とを比較する。エリア特定閾値は、予め設定されている閾値であって、メッシュ内を走行する道路において、複数の車両が不要なエンジン始動を行ったことを特定するための閾値である。そして、エリア特定部１０４は、メッシュ内のエンジン稼働情報の数がエリア特定閾値より高くなった場合に、当該メッシュを、エンジン始動抑制エリアとして特定する。例えば、エリア特定閾値を５に設定した場合には、メッシュＡ及びＢがエンジン始動抑制エリアとして特定され、メッシュＣ及びＤはエンジン始動抑制エリアとして特定されない。
【００７２】
すなわち、メッシュＡ及びＢにおいては、多くの車両が、運転者による駆動要求により、短時間でエンジン始動が行われていることになる。そして、このエンジン始動は、メッシュＡ及びＢ内の道路を走行する際に不要なエンジン始動であるため、エリア特定部１０４は、メッシュＡ、Ｂでのエンジン始動を抑制するように、メッシュＡ及びＢをエンジン始動抑制エリアとして特定する。
【００７３】
エンジン特定部１０４により、エンジン始動抑制エリアが特定されると、サーバコントローラ１０２は、車両１からの要求に応じて、エンジン始動抑制エリアを含む情報を車両１に送信する。
【００７４】
次に、図１、２、４に戻り、車両１側における、エンジン始動抑制エリアに基づくエンジン始動線の制御について説明する。
【００７５】
統合コントロールユニット６０はメインスイッチをオンにすると、テレマティクスコントロールユニット５０を介して、サーバ１００と通信を行い、エンジン始動抑制エリア情報を取得する旨の信号をサーバ１００に送信する。
【００７６】
統合コントロールユニット６０は、エンジン始動抑制エリア情報を取得すると、図示しないメモリに記憶する。統合コントロールユニット６０は、車両１の走行道路延長線上にエンジン始動抑制エリアを含み、車両１がエンジン始動抑制エリアに近づいているか否か、及び、車両１がエンジン始動抑制エリア内を走行しているか否かを判定する。この判定のために、統合コントロールユニット６０は、ナビゲーションシステム６６で管理する車両１の現在地から、走行道路の先にあるエンジン始動抑制エリアの入口の位置（走行道路と、エリアに相当するメッシュの境界線との交点に相当する）までの距離を測定する。そして、統合コントロールユニット６０は、測定した距離と、予め設定されている閾値距離とを比較し、測定距離が閾値距離より短い場合に、エンジン始動抑制エリアに近づいた、と判定する。
【００７７】
エンジン始動抑制エリアに近づいたことが判定されると、統合コントロールユニット６０は、ディスプレイ９０により、エンジン始動抑制エリアを地図データ上に表示することで、エンジン始動抑制エリアに近づいたことを乗員に報知する。
【００７８】
また、エンジン始動抑制エリアに近づいたことが判定されると、統合コントロールユニット６０は、モード選択部６２により、図４に示すマップ上で、エンジン始動線を、基準となるエンジン始動線Ｌｏより高いエンジン始動線Ｌｈにすることで、エンジン始動のための閾値を基準値よりも高くする。
【００７９】
図４に示すように、エンジン始動線Ｌｈは、エンジン始動線Ｌｏより高い位置に引かれている。そのため、エンジン始動線をＬｈに設定した場合には、Ｌｏに設定した場合と比較して、ＥＶ走行モードの領域が広くなり、ＨＥＶ走行モードの領域が狭くなる。すなわち、エンジン始動線をＬｈに設定すると、エンジン１０を始動させるためのアクセル開度及び車速は、Ｌｏに設定した場合と比較して、高くなるため、エンジン始動が抑制される。
【００８０】
車両１の位置がエンジン始動抑制エリア内にある場合も同様に、統合コントロールユニット６０は、モード選択部６２により、図４に示すマップ上で、エンジン始動線を、基準となるエンジン始動線Ｌｏより高いエンジン始動線Ｌｈにする。これにより、車両１がエンジン始動抑制エリア内を走行中も、エンジン始動線は始動線Ｌｈの状態を維持し、エンジン始動が抑制される。
【００８１】
図６に示す地図データを用いて、本例のエンジン始動抑制エリアに基づくエンジン始動線の制御について説明する。車両１はメッシュＣの道路からメッシュＡの道路を走ると仮定する。車両１がメッシュＣの道路を走行しているときには、メッシュＣのエリアはエンジン始動抑制エリアに該当しないため、エンジン始動線は基準線であるＬｏに設定されている。
【００８２】
メッシュＣの道路をＥＶ走行モードで走行中、メッシュＡの道路に近づくと、統合コントーラユニット６０は、車両１がエンジン始動抑制エリアに近づいたことを識別し、モード選択部６２はエンジン始動線をＬｈに設定する。そして、車両１がメッシュＣの道路を走行中に、車両１の運転手がメッシュＣの道路状況を目視して、アクセルを踏み込んだとしても、エンジン始動線は高い始動線Ｌｈに設定されているため、エンジン１０は始動せず、車両１はＥＶ走行モードを維持して、メッシュＣの道路を通過する。これにより、エンジン始動抑制エリアにて、車両１のエンジン始動が抑制される。そして、車両１がメッシュＡのエリアから出ると、モード選択部６２はエンジン始動線を始動線Ｌｏに戻す。
【００８３】
次に図７を用いて、車両１、２００及びサーバ１００による、本例のハイブリッド車両の管理システムの制御手順を説明する。図７に車両１、２００の制御手順及びサーバ１００の制御手順のフロートチャートを示す。図７に示す制御フローのうち、車両１側の制御である、ステップＳ１０４〜ステップＳ１０６の制御は所定の周期で繰り返し行われている。
【００８４】
ステップＳ１０１にて、車両１の統合コントロールユニット６０は、エンジン稼働情報をサーバ１００に送信する。またステップＳ３０１にて、車両２００の統合コントロールユニット６０は、エンジン稼働情報をサーバ１００に送信する。
【００８５】
車両１及び車両２００によりエンジン稼働情報をサーバ１００に送信した後は、サーバ１００側の制御に遷移する。ステップＳ２０１にて、サーバコントローラ１０２は、エンジン稼働情報取得部１０３により、車両１、２００よりエンジン稼働情報を受信したか否かを判定する。エンジン稼働情報を受信していない場合には、ステップＳ２０５に遷る。
【００８６】
エンジン稼働情報を受信した場合には、ステップＳ２０２にてサーバコントローラ１０２は、取得したエンジン稼働情報に含まれるアクセル開度を用いて、駆動要求によるエンジン始動であるか否かを判定する。アクセル開度がアクセル開度閾値より低い場合には、サーバコントローラ１０２は、駆動要求によるエンジン始動ではない、と判定してステップＳ２０５に遷る。一方、アクセル開度がアクセル開度閾値以上である場合には、サーバコントローラ１０２は駆動要求によるエンジン始動である、と判定してステップＳ２０３に遷る。
【００８７】
ステップＳ２０３にて、サーバコントローラ１０２は、取得したエンジン稼働情報に含まれるエンジンの始動時の位置及び稼働停止時の位置の情報から、エンジンの始動から停止までの車両１、２００の移動距離を測定し、当該移動距離を用いて、不要なエンジン始動であるか否かを判定する。測定した移動距離が閾値距離より長い場合には、サーバコントローラ１０２は、必要なエンジン始動であると、と判定してステップＳ２０５に遷る。一方、測定した移動距離が閾値距離以上である場合には、サーバコントローラ１０２は不要なエンジン始動である、と判定してステップＳ２０４に遷る。
【００８８】
ステップＳ２０４にて、サーバコントローラ１０２は、ステップＳ２０２及びステップＳ２０３で特定されたエンジン稼働情報に含まれるエンジン１０の始動位置の情報と、地図データ上の位置とを対応させつつ、データベース１０１で管理する地図データ上に、エンジン稼働情報をプロットする。これにより、サーバ１００は、車両１、２００の走行のためには不要なエンジン始動に係るエンジン稼働情報を特定し、特定したエンジン稼働情報を地図データ上で管理する。
【００８９】
車両１側の制御に戻り、ステップＳ１０２にて、統合コントロールユニット６０は、サーバ１００に対して、エンジン始動抑制エリアの情報を要求する旨の信号を送信する。
【００９０】
サーバ１００側の制御に遷り、ステップＳ２０５にて、サーバコントローラ１０２は、エンジン始動抑制エリアの要求信号を受信したか否かを判定する。当該要求信号を受信していない場合には、サーバ側の制御処理を終了する。
【００９１】
ステップＳ２０６にて、エリア特定部１０４は、エリアの要求信号を受信した時点で、データベース１０１の地図データ上に割り当てられたメッシュごとに、プロットされている、エンジン稼働情報の数をそれぞれ算出する。そして、算出したエンジン稼働情報の数と、エリア特定閾値とを、それぞれのメッシュ毎で比較する。そして、エリア特定部１０４は、エンジン稼働情報の数がエリア特定閾値以上であるメッシュに対応するエリアを、エンジン始動抑制エリアとして特定する。
【００９２】
ステップＳ２０７にて、サーバコントローラ１０２は、特定したエンジン始動抑制エリアの情報を、車両１に送信し、サーバ側の制御処理を終了する。
【００９３】
車両１側の制御に遷り、統合コントロールユニット６０は、ステップＳ１０２によるエリア情報の要求信号に対する応答信号を受信することで、エンジン始動抑制エリアの情報を受信する（ステップＳ１０３）。ステップＳ１０４にて、統合コントロールユニット６０は、ナビゲーションシステム６６を用いて、車両１の現在地がエンジン始動抑制エリアに近づいたか否かを判定し、及び、車両１の現在地がエンジン始動抑制エリア内にあるか否か、を判定する。
【００９４】
車両１の現在地がエンジン始動抑制エリアに近づいた場合、または、車両１の現在地がエンジン始動抑制エリア内にある場合には、ステップＳ１０５にて、モード選択部６２はエンジン始動線を高いレベルの始動線Ｌｈに設定し、車両１側の制御を終了する。一方、車両１の現在地がエンジン始動抑制エリアに近づいていない場合、及び、車両１の現在地がエンジン始動抑制エリア内にない場合には、ステップＳ１０６にて、モード選択部６２はエンジン始動線を低いレベルであって、基準レベルである始動線Ｌｏに設定し、車両１側の制御を終了する。これにより、車両１がエンジン始動抑制エリアを走行している際に、運転者がアクセルを踏み込んだとしても、エンジンを始動させるための閾値が高くなっているため、エリア内でのエンジン始動が抑制される。
【００９５】
上記のように、本発明は、複数の車両１、２００から、モータジェネレータ２０の動作中にエンジンの始動から停止までの移動距離と、エンジン１０が稼働している地点を示すエンジン稼働位置とを含むエンジン稼働情報を取得するエンジン稼働情報取得部１０３と、当該エンジン稼働情報に基づいてエンジン１０の始動を抑制するエンジン始動抑制エリアを地図データ上で特定するエリア特定部１０４とを備えている。そして、エリア特定部１０４は、エンジン稼働情報取得部１０３により取得した移動距離の情報から、エンジンを不要に稼働していると判定可能な距離を含んでいるエンジン稼働情報を特定し、特定されたエンジン稼働情報の稼働位置を含むエリアを、エンジン始動抑制エリアとして特定する。これにより、道路状況等によって、不要なエンジン始動が多く行われているエリアを把握することができ、当該エリアでのエンジン始動を抑制することで、燃費を向上させることができる。
【００９６】
また本例は、エンジン１０の始動から停止までの移動距離が閾値距離以下である、エンジン１０の稼働位置に基づいて、エンジン始動抑制エリアを特定する。そして、エリア特定部１０４は、エンジン稼働情報取得部１０３により取得した移動距離の情報から、移動距離が閾値距離以下であるエンジン稼働情報を特定し、特定されたエンジン稼働情報の稼働位置を含むエリアを、エンジン始動抑制エリアとして特定する。これにより、エンジン１０を始動させる必要がない場所を特定することができるため、当該エリアでのエンジン始動を抑制することで、燃費を向上させることができる。
【００９７】
また本例は、地図データ上で、エンジン稼働情報の数を管理し、当該エンジン稼働情報の数に基づき、エンジン始動抑制エリアを特定する。そして、エリア特定部１０４は、地図データ上で管理されたエンジン稼働情報の数から、エンジンを不要に稼働していることを示すエンジン稼働情報が集まっているエリアを特定し、当該エリアを、エンジン始動抑制エリアとして特定する。これにより、多くのハイブリッド車両が、エンジン１０を不要に始動させているエリアを特定することができ、当該エリアでのエンジン始動を抑制することで、燃費を向上させることができる。
【００９８】
また本例は、地図データ上の複数のメッシュと対応するエリアのうち、エンジン稼働情報がエリア特定閾値以上であるエリアを、エンジン始動抑制エリアとして特定する。これにより、多くのハイブリッド車両が、エンジン１０を不要に始動させているエリアを特定することができ、当該エリアでのエンジン始動を抑制することで、燃費を向上させることができる。
【００９９】
また本例において、エンジン稼働情報は、運転車の運転動作による要求によってエンジン１０が稼働したことを示す情報を含み、エリア特定部１０４は当該情報に基づいてエンジン始動抑制エリアを特定する。そして、エリア特定部１０４は、エンジン稼働情報取得部１０３により取得した移動距離の情報から、運転手の運転動作による要求によってエンジン１０が稼働したことを示す情報を特定し、特定されたエンジン稼働情報の稼働位置を含むエリアを、エンジン始動抑制エリアとして特定する。これにより、システム要求によるエンジン始動の情報を、エンジン始動抑制エリアを特定するための情報から除外した上で、エンジン１０を不要に始動させているエリアを特定することができる。その結果として、当該エリアでのエンジン始動を抑制することで、燃費を向上させることができる。
【０１００】
また本発明は、エンジン１０の稼働位置を、エンジン１０が始動した地点としている。これにより、道路状況等によって、不要なエンジン始動が多く行われている地点を把握することができる。
【０１０１】
また本発明に係るハイブリッド車両１の統合コントロールユニット６０は、車両１の位置情報とエンジン始動抑制エリアに基づいて、エンジンを始動させる始動線を設定する。これにより、エンジン始動抑制エリアでのエンジン始動を抑制することができ、燃費を向上させることができる。
【０１０２】
また本発明に係る統合コントロールユニット６０は、車両１の位置がエンジン始動抑制エリア内にある場合の始動線Ｌｈを、車両１の位置がエンジン抑制エリア外にある場合の始動線Ｌｏよりも高くする。これにより、エンジン始動抑制エリア内では、ＨＥＶ走行モードの領域が狭くなり、エンジン始動が抑制させるため、不要なエンジン始動を防ぐことができ、その結果として、燃費を向上させることができる。
【０１０３】
また本発明は、エンジン始動抑制エリアを、ディスプレイ９０により乗員に報知する。これにより、運転者は、不要なエンジン始動が多く行われているエリアを確認することができるため、当該エリアでアクセルの踏み込み量を抑制することができ、燃費を向上させることができる。
【０１０４】
なお、本例は、エンジン稼働情報に、エンジン１０の稼働中の車両１の移動距離の代わりとして、エンジン１０の稼働中の車両１の移動時間を含め、当該移動時間を用いることで、エンジン始動が特定の道路状況によって短時間行われたか否かを判定することで、エンジン始動抑制エリアを特定してもよい。なお、車両１の移動時間を用いたエンジン始動抑制エリアの制御は、上記の制御のうち、移動距離を移動時間に置き換えればよい。
【０１０５】
なお、図６に示すプロットはエンジン１０の始動時の位置で行ったが、停止時のみでもよく、エンジン１０の始動時の位置及び停止時の位置の両方でもよい。
【０１０６】
なお、車両１、２００からエンジン稼働情報をサーバ１００に送信するタイミングは、所定の周期毎に送信してもよく、またエンジン始動時に送ってもよい。またサーバ１００からエンジン始動抑制エリアの情報を車両１に送信するタイミングは、車両１側からの要求信号によらず、所定の周期もしくは所定の時刻に送ってもよい。
【０１０７】
なお、本例は、エンジン始動特定エリアを図６のメッシュにより区分けしたエリアとしたが、メッシュに含まれるエンジン稼働位置を示す点を中心とした所定の範囲をエンジン始動抑制エリアとしてもよい。すなわち、ステップＳ２０６にて、エンジン稼働情報の数がエリア特定閾値以上であるエリアを特定すると、当該エリアに含まれるエンジン稼働情報を示すプロットの点を中心として所定の範囲（例えば、所定の半径の円の範囲）を、エンジン始動抑制エリアとして特定する。これにより、多くのハイブリッド車両が、エンジン１０を不要に始動させているエリアを特定することができ、当該エリアでのエンジン始動を抑制することで、燃費を向上させることができる。
【０１０８】
なお、上記の所定の範囲を規定する際の中心点は、メッシュ内に含まれる、エンジン稼働情報を示す複数のプロットの点のいずれかの点であればよく、あるいは、各点は地図データ上で座標により管理されているため、位置の平均を中心点としてもよい。
【０１０９】
また本例は、地図上をメッシュにより区分した上で、エンジン始動抑制エリアとして特定したが、メッシュの代わりに、地図データ上におけるリンク情報又はノード情報と対応させた上で、地図上を所定のエリアで区分してもよい。
【０１１０】
なお本発明は、エリア始動抑制エリアをディスプレイ９０を用いて報知したが、スピーカなどの他の報知手段であってもよい。
【０１１１】
上記のエンジン稼働情報取得部１０３は本発明の取得手段に相当し、エリア特定部１０４は本発明に係るエリア特定手段に、ナビゲーションシステム６６は本発明の管理手段に、テレマティクスコントロールユニット５０は本発明の通信手段に、モード選択部６２が本発明の制御手段に相当する。
【符号の説明】
【０１１２】
１…ハイブリッド車両
１０…エンジン
１１…エンジン回転数センサ
１５…第１クラッチ
２０…モータジェネレータ
２１…モータ回転数センサ
２５…第２クラッチ
３０…バッテリ
３５…インバータ
４０…自動変速機
４１…入力回転センサ
４２…出力回転センサ
５０…テレマティクスコントロールユニット
６０…統合コントロールユニット
６１…目標駆動力演算部
６２…モード選択部
６３…目標充放電演算部
６４…動作点指令部
６５…変速制御部
６６…ナビゲーションシステム
６９…アクセル開度センサ
７０…エンジンコントロールユニット
８０…モータコントロールユニット
９０…ディスプレイ
１００…サーバ
１０１…データベース
１０２…サーバコントローラ
１０３…エンジン稼働情報取得部
１０４…エリア特定部
【図１】
0005978632.tif 000002
【図２】
0005978632.tif 000003
【図３】
0005978632.tif 000004
【図４】
0005978632.tif 000005
【図５】
0005978632.tif 000006
【図６】
0005978632.tif 000007
【図７】
0005978632.tif 000008